(57)【要約】【課題】各々の管轄部門における部門データベースの電力情報を統合したメインデータベースで一元管理でき、電力系統の解析や電力設備の運用評価を行いその評価結果を管轄部門に提供することである。【解決手段】各々の管轄部門１１ごとに設けられた部門データベース管理システム１３は、各々の部門データベース１２の電力情報を所定の規格フォーマット（ＲＤＦ）に変換して通信ネットワーク１９に送信する。メインデータベース１４は、各々の部門データベース管理システム１３で変換された所定の規格フォーマットの各々の部門データベース１２の電力情報を格納し、メインデータベース管理システム１７はメインデータベース１５に格納された電力情報を管理する。解析評価システム１８はメインデータベース１５に格納された所定の規格フォーマットの電力情報に基づき電力系統の解析や電力設備の運用評価を行う。【選択図】  図１
2009213238.tif 000002
【特許請求の範囲】
【請求項１】
電力系統を構成する部分系統や電気設備ごとの所定の管轄部門に設けられ前記管理部門が管轄する電力情報を格納する部門データベースと、前記部門データベースに格納された電力情報をそれぞれ管理するとともに前記部門データベースに格納された電力情報を所定の規格フォーマットに変換する部門データベース管理システムと、前記部門データベース管理システムで変換された所定の規格フォーマットの各々の部門データベースの電力情報を格納するメインデータベースと、前記メインデータベースに格納された所定の規格フォーマットの各々の部門データベースの電力情報を管理するメインデータベース管理システムと、前記メインデータベースに格納された所定の規格フォーマットの各々の部門データベースの電力情報に基づき電力系統の解析や電力設備の運用評価を行う解析評価システムと、前記部門データベース管理システムとメインデータベース管理システムとの間を所定の規格フォーマットでデータ通信するための通信ネットワークとを備えたことを特徴とする電力情報統合管理システム。
【請求項２】
前記メインデータベース管理システムは、前記解析評価システムで得られた解析評価結果を所定の規格フォーマットで前記通信ネットワークを介して所定の部門データベース管理システムに配信することを特徴とする請求項１記載の電力情報統合管理システム。
【請求項３】
前記所定の規格フォーマットは、ＲＤＦであることを特徴とする請求項１または請求項２に記載の電力情報統合管理システム。
【発明の詳細な説明】
【技術分野】
【０００１】
本発明は、電力系統の電力情報を統合管理する電力情報統合管理システムに関する。
【背景技術】
【０００２】
電力事業における規制緩和や環境への配慮による再生可能エネルギーの導入等により、電力会社を取り巻く社会的な状況が厳しくなる中で、既設電力設備の効率的な維持管理の重要性が益々高まっている。電力系統を構成する部分系統や電気設備（電力系統設備）は、それ自体が巨大なシステムであるため、電力系統設備の維持管理のためには膨大な量のデータを取扱わなければならず、現状ではすべてのデータを統合して一元管理することができず、各電力系統設備の管理部門ごとに個別にデータの管理を行っている。様々なデータ管理システム、データベースシステム等が販売されてはいるが、それらを全電力系統設備データの管理に導入するには、管理対象データがあまりにも膨大であるため、いずれもスペックやコストに困難があり、実現は難しい状況にある。
【０００３】
そこで、分散して存在する各々の管理部門での管理形態の異なる多種多様な部門データベースを統合して一元管理することが要望されている。複数データベースを一元管理するものとして、ネットワーク上に分散配置されているデータベースを見かけ上１つの正規化されたデータベースとみなす手法を確立し、分散配置されているデータベースを一元管理することを可能にしたものがある（例えば、特許文献１参照）。また、管理ツールであるアプリケーションのインターフェイスであるクライアントで、エージェントにより管理ツールの出力をＸＭＬ文書に変換しＨＴＴＰ／ＳＯＡＰのプロトコルでＳＯＡＰサーバ２に送信し、ＳＯＡＰサーバ２では複数のクライアントや自ら収集したデータを共通の形式で統合データベース５に蓄積するとともに統合画面で一覧表示し、多数の独立した管理ツールがあたかも一体になったように一元的に管理できるようにしたものがある（特許文献２参照）。
【特許文献１】特開平８−２２７３６９号公報
【特許文献２】特開２００４−２３４５６０号公報
【発明の開示】
【発明が解決しようとする課題】
【０００４】
しかし、特許文献１、２のものでは、複数データベースを一元管理することに留まるものである。各々の管轄部門で管理している電力情報については、メインデータベースで一元管理することも重要であるが、一元管理した電力情報を用いて電力系統の解析や電力設備の運用評価を行い、その解析評価結果を有効利用できるようにすることも要請されている。
【０００５】
また、メインデータベースで一元管理することと並行して、各管轄部門ごとで管理している部門データベースのデータを有効に利用できるようにしておくことも要請されている。これは、部門ごとに限定されたデータ処理を行う場合に、一元管理しているメインデータベースにいちいちアクセスすることは非効率的であるからである。
【０００６】
すなわち、電力系統設備はそれぞれが高度に複雑化された設備であり、管理する設備も広域にわたって存在しており、また、増設や改修などが継続的に行われているため、設備の現状を一元的に把握することが非常に困難である。これまでも、電力供給会社内の各部門ごとに設備管理台帳システムなどを導入して、設備情報を整備する努力がなされてきたが、電力系統設備自体が膨大な量のデータを有するシステムであるため、部門組織（例えば、工務部門、給電部門など）ごとに分断して管理された情報管理システムに留まっていた。
【０００７】
従って、設備の増設・改修などで設備情報が更新された場合に、更新情報がシステムへ正しく反映されず情報が陳腐化するなどの問題点があった。特に、電力系統の解析や電力設備の運用評価を行う際に、各管轄部門ごとに分かれたシステムから更新情報をその都度、データ作成者が収集しなければならず、また、その解析評価結果を各管轄部門に提供することができなかった。
【０００８】
本発明の目的は、各々の管轄部門における部門データベースの電力情報を統合したメインデータベースで一元管理でき、しかも一元管理した電力情報を用いて電力系統の解析や電力設備の運用評価を行いその評価結果を管轄部門に提供できる電力情報統合管理システムを提供することである。
【課題を解決するための手段】
【０００９】
請求項１の発明に係わる電力情報統合管理システムは、電力系統を構成する部分系統や電気設備ごとの所定の管轄部門に設けられ前記管理部門が管轄する電力情報を格納する部門データベースと、前記部門データベースに格納された電力情報をそれぞれ管理するとともに前記部門データベースに格納された電力情報を所定の規格フォーマットに変換する部門データベース管理システムと、前記部門データベース管理システムで変換された所定の規格フォーマットの各々の部門データベースの電力情報を格納するメインデータベースと、前記メインデータベースに格納された所定の規格フォーマットの各々の部門データベースの電力情報を管理するメインデータベース管理システムと、前記メインデータベースに格納された所定の規格フォーマットの各々の部門データベースの電力情報に基づき電力系統の解析や電力設備の運用評価を行う解析評価システムと、前記部門データベース管理システムとメインデータベース管理システムとの間を所定の規格フォーマットでデータ通信するための通信ネットワークとを備えたことを特徴とする。
【００１０】
請求項２の発明に係わる電力情報統合管理システムは、請求項１の発明において、前記メインデータベース管理システムは、前記解析評価システムで得られた解析評価結果を所定の規格フォーマットで前記通信ネットワークを介して所定の部門データベース管理システムに配信することを特徴とする。
【００１１】
請求項３の発明に係わる電力情報統合管理システムは、請求項１または請求項２の発明において、前記所定の規格フォーマットは、ＲＤＦであることを特徴とする。
【発明の効果】
【００１２】
本発明によれば、各管轄部門ごとの部門データベースに格納された電力情報を所定の規格フォーマットに変換しメインデータベースに統合して格納するので、各管轄部門ごとに分散して存在し管理形態の異なる多種多様な部門データベースに格納された電力情報をメインデータベース上で一元管理できる。また、各管轄部門において、従前通りに部門データベースのデータも管理できるので、一元管理する必要のないデータであって、各管轄部門において限定されたデータ処理の際に利用されるデータは各管轄部門において有効に利用できる。
【００１３】
また、メインデータベースに格納された所定の規格フォーマットの各々の部門データベースの電力情報に基づき電力系統の解析や電力設備の運用評価を行うので、その評価結果を必要に応じて管轄部門に提供できる。
【００１４】
また、所定の規格フォーマットとしては、メタ情報(各種データの意味をコンピュータに認識させるための情報)を記述するためのフォーマットであるＲＤＦ(Resource Description Framework)を用いるので、複雑なネットワーク構造を柔軟に表現でき、電気的な属性データの追加や拡張が容易に行える。
【発明を実施するための最良の形態】
【００１５】
図１は本発明の実施の形態に係る電力情報統合管理システムの構成図である。電力系統を構成する電力系統設備には、発電設備、送電設備、配電設備、変電設備等があり、これらの電力系統設備はそれぞれ個別の管轄部門１１で管理されている。また、これに加えて、系統運用や顧客サービス等についても管轄部門ごとに管理される。各々の管轄部門１１には、それぞれ個別に部門データベース１２を有し、部門データベース１２のデータは、それぞれの個別の種別及び言語で自由に構築され、それぞれの部門データベース管理システム１３にて個別に管理される。
【００１６】
一方、統合管理部門１４が設けられ、統合管理部門１４では、各々の管轄部門１１の部門データベース１２に格納された電力情報を統合して管理する。統合管理部門１４は、各々の管轄部門１１の部門データベース１２に格納された電力情報を格納するメインデータベース１５を有し、電力系統設備のＩＤ（Identification）を格納する設備管理データベース１６を有している。メインデータベース管理システム１７は、メインデータベース１５や設備管理データベース１６の管理を行う。また、統合管理部門１４には、メインデータベース１５に格納された電力情報に基づき電力系統の解析や電力設備の運用評価を行う解析評価システム１８が設けられている。
【００１７】
発電設備の管轄部門１１ａでは、発電設備に関する電力情報として、例えば、発電量容量、発電実績、原動機や発電機の主機あるいは補機の特性、発電効率等が個別の種別や言語のデータ形式で発電部門の部門データベース１２ａに格納され、発電部門の部門データベース管理システム１３ａで管理される。送電設備の管轄部門１１ｂでは、送電設備に関する電力情報として、例えば、送電電圧、送電電流、送電線の構成、送電線の事故特性等が個別の種別や言語のデータ形式で送電部門の部門データベース１２ｂに格納され、送電部門の部門データベース管理システム１３ｂで管理される。配電設備の管轄部門１１ｃでは、配電設備に関する電力情報として、例えば、配電電圧、配電電流、配電線の構成、配電線の事故特性等が個別の種別や言語のデータ形式で配電部門の部門データベース１２ｃに格納され、配電部門の部門データベース管理システム１３ｃで管理される。変電設備の管轄部門１１ｄでは、変電設備に関する電力情報として、例えば、変圧器の一次電圧や二次電圧、母線電流、変電器や母線の構成、変圧器の事故特性等が個別の種別や言語のデータ形式で変電部門の部門データベース１２ｄに格納され、変電部門の部門データベース管理システム１３ｄで管理される。また、系統運用の管轄部門１１ｅでは、系統運用に関する電力情報として、例えば、電力系統間の潮流や安定度、系統連系や系統分離した場合の特性、送電損失等が個別の種別や言語のデータ形式で系統運用部門の部門データベース１２ｅに格納され、系統運用部門の部門データベース管理システム１３ｅで管理される。
【００１８】
これらの各々の管轄部門１１ａ〜１１ｅの部門データベース管理システム１３ａ〜１３ｅ及びメインデータベース管理システム１７は、通信ネットワーク１９に接続される。部門データベース管理システム１３ａ〜１３ｅは、個別の種別や言語のデータ形式の電力情報のデータを所定の規格フォーマットに変換し、通信ネットワーク１９を介して統合管理部門１４に送信する。統合管理部門１４のメインデータベース管理システム１７は、各々の部門データベース管理システム１３ａ〜１３ｅで変換された所定の規格フォーマットの各々の部門データベースの電力情報をメインデータベース１５に格納する。
【００１９】
ここで、所定の規格フォーマットとしては、例えば、ＲＤＦを用いる。ＲＤＦとは、メタ情報を記述するためのフォーマットである。メタ情報とは、Ｗｅｂページなど各種データの意味をコンピュータに認識させるための情報であり、メタデータ（metadata）、すなわち、あるデータが付随して持つそのデータ自身についての抽象度の高い付加的なデータである。ＲＤＦの仕様はW3G定められ、Ｗ３０が提唱する次世代Ｗｅｂ「セマンティックＷｅｂ」の中核技術に位置づけられている。
【００２０】
ＲＤＦは、データモデル(構造)とシンタックス(構文)が分離されているところに特徴がある。すなわち、ＲＤＦはデータの意味を記述する方法(データモデル)を定義しており、実装(構文)はＸＭＬ構文によって書かれることが一般的であるが、その他に、「Notatlon3」、「TURTLE」といった構文に従った書き方もある。ＸＭＬによってＲＤＦを表現するための構文をＲＤＦ／ＸＭＬという。
【００２１】
ＲＤＦのデータモデルは、主語Ｓ(リソース)、述語Ｖ(プロパティ)、目的語Ｏ(プロパティの値)という３つの要素(トリプル)で表現する。トリプルとは、「ＳＶＯの関係を表すステートメント(文)」を表し、トリプルの集合はＲＤＦのグラフと呼ぶ。ＲＤＦではこれらの関係を有向ラベル付グラフを用いて表現し、実装としては前述のＲＤＦ／ＸＭＬ等がある。
【００２２】
ＲＤＦの特徴としては以下のものが挙げられる。ＲＤＦはもともとネットワーク構造を記述するために考えられたものであり、ネットワーク構造を表現するのに適している。単純なＳＶＯ文法(トリプル)により意味が一意にきまる。また、トリプルをつなげることにより複雑なネットワーク構造を表現できる。
【００２３】
必ずルートノードを基点としたシリー構造にしなければならないＸＭＬと違って、ＲＤＦはトリプルを基本構造とした有向グラフ、つまり,ネワトワーク構造になっており、縦の関係だけしか表せない(縦の構造にしないといけない)ＸＭＬに対し、ＲＤＦでは横の関係も表せ構造的な制約を受けないので、柔軟性が高い。ＸＭＬのようにルートノードを基点としたツリー構造にする必要がなく、追加情報は異なるルートノードに記述すればパース時に自動的にマージしてくれるので、情報の追加や拡張が容易である。
【００２４】
このようにして、統合管理部門１４のメインデータベース１５には、所定の規格フォーマット（ＲＤＦ）での各々の部門データベース１２ａ〜１２ｅの電力情報が格納される。統合管理部門１４のメインデータベース管理システム１７は、メインデータベース１５に格納された所定の規格フォーマット（ＲＤＦ）の各々の部門データベース１２ａ〜１２ｅの電力情報を管理する。例えば、メインデータベース管理システム１７は、電力系統設備全体のＩＤを発番して設備管理データベース１６に格納するとともに、設備管理データベース１６のＩＤと各部門データベース１２ａ〜１２ｅ上のデータとを統合させ、メインデータベース１５で設備データの管理を行う。個別の管轄部門１１の部門データベース管理システム１３がメインデータベース１５に格納された他の管理部門１１の部門データベース１２の電力情報を要求するときは、メインデータベース管理システム１７は、その要求のあった部門データベース管理システム１３に、他の管理部門１１の部門データベース１２の電力情報を所定の規格フォーマット（ＲＤＦ）で送信する。
【００２５】
また、解析評価システム１８はメインデータベース１５に格納された所定の規格フォーマット（ＲＤＦ）の各々の部門データベース１２ａ〜１２ｅの電力情報に基づき、電力系統の解析や電力設備の運用評価を行う。例えば、電力系統解析の評価として、送電線のどの部分に事故が発生すると波及効果が大きいかを解析して、その解析結果をメインデータベース１５に格納しておく。そして、例えば、系統運用の管轄部門１１ｅにおいて、解析評価システム１８で解析した解析結果を必要とするときは、系統運用の管轄部門１１ｅの部門データベース管理システム１３ｅは、通信ネットワーク１９を介して統合管理部門１４のメインデータベース管理システム１７に対してその解析結果を要求する。メインデータベース管理システム１７はその要求に対して解析結果を所定の規格フォーマット（ＲＤＦ）で系統運用の管轄部門１１ｅの部門データベース管理システム１３ｅに送信し、系統運用の管轄部門１１ｅの部門データベース管理システム１３ｅは、受信した系統運用データベース１２ｅに格納し、その解析結果を系統運用に関して使用する。
【００２６】
本発明の実施の形態によれば、各部門データベース１２ａ〜１２ｅごとに個別に種別や言語が異なる電力情報を所定の規格フォーマット（ＲＤＦ）に変換し、通信ネットワーク１９を介して統合管理部門１４のメインデータベース１５に格納し、メインデータベース１５で所定の規格フォーマット（ＲＤＦ）にて統合管理するので、全体として１つのデータベースとしての扱いが可能になる。
【００２７】
また、統合管理部門１４において、電力系統設備全体のＩＤを管理する設備管理データベース１６を統合管理部門１４に用意し、設備管理データベース１６に電力系統設備のＩＤの発番を格納し、設備管理データベース１６のＩＤと各部門データベース１２ａ〜１２ｅ上のデータとを統合させてメインデータベース１５で設備データの管理を行うので、電力系統設備全体の設備データに管理が容易に行える。
【００２８】
さらに、メインデータベース１５に格納された所定の規格フォーマット（ＲＤＦ）の各々の部門データベース１２ａ〜１２ｅの電力情報に基づき電力系統の解析や電力設備の運用評価を行うので、その評価結果を必要とする管轄部門１１ａ〜１１ｅに提供できる。これにより、既存の部門データベース１２ａ〜１２ｅを効率よく活用しつつ、統合した電力系統設備の情報管理を国際規格準拠で構築することが可能となり、各々の管轄部門を横断した情報管理が可能となる。
【図面の簡単な説明】
【００２９】
【図１】本発明の実施の形態に係る電力情報統合管理システムの構成図。
【符号の説明】
【００３０】
１１…管轄部門、１２…部門データベース、１３…部門データベース管理システム、１４…統合管轄部門、１５…メインデータベース、１６…設備管理データベース、１７…メインデータベース管理システム、１８…解析評価システム、１９…通信ネットワーク
【図１】
2009213238.tif 000003